(57)【特許請求の範囲】
【請求項１】
背凭れ（３）から離された端部を肘当て面（２３）に有するＬ型あるいはＴ型の椅子に固定される肘掛けにおいて、前記肘当て面（２３）の最後端（２５）が当該肘掛け（２）の前記肘当て面（２３）の中心（Ｃ）付近あるいは前記肘当て面（２３）の中心（Ｃ）よりも外側寄りの位置に形成され、かつ前記最後端（２５）が前記背凭れ（３）が傾動したときにも前記背凭れ（３）の前面（３ａ）よりも後方に位置する長さであることを特徴とする椅子の肘掛け。
【請求項２】
前記肘当て面（２３）の前記最後端（２５）付近の内側の縁（２６）部分に前記背凭れ（３）側へ向けて緩やかな曲面を以て突出する突出部（２４）を備え、かつ該突出部（２４）から前記最後端（２５）にかけて座面（４ａ）からの高さが漸次低くなる斜面（２４ａ）に形成されていることを特徴とする請求項１記載の椅子の肘掛け。
【請求項３】
背凭れ（３）から離された端部を肘当て面（２３）に有するＬ型あるいはＴ型の椅子に固定される肘掛けにおいて、上から見て漸次幅狭となるように内側の縁（２６）と外側の縁（２７）の両側縁（２６），（２７）がそれぞれ滑らかな曲面に形成されると共に肘当て面（２３）の最後端（２５）付近の内側の縁（２６）部分に前記背凭れ（３）側へ向けて緩やかな曲面を以て突出する突出部（２４）を備え、かつ前記後端部（２５）が肘当て面（２３）の中心（Ｃ）の付近あるいは肘当て面（２３）の中心（Ｃ）よりも外側の縁（２７）寄りの位置に配置されることを特徴とする椅子の肘掛け。
【請求項４】
前記肘当て面（２３）の突出部（２４）から前記最後端（２５）にかけて座面（４ａ）からの高さが漸次低くなる斜面（２４ａ）に形成されていることを特徴とする請求項３記載の椅子の肘掛け。
【請求項５】
前記最後端（２５）が前記背凭れ（３）が傾動したときにも前記背凭れ（３）の前面（３ａ）よりも後方に位置する長さであることを特徴とする請求項３記載の椅子の肘掛け。
【請求項６】
前記肘当て面（２３）が前後方向に緩やかに湾曲する曲面に形成され、かつ前記最後端が当該肘当て面（２３）の高さの中で最も低く、座面から前記最後端（２５）の下面までの高さが１５０ｍｍ以下であることを特徴とする請求項１から５のいずれかに記載の椅子の肘掛け。
【請求項７】
請求項１から６のいずれかに記載の肘掛けを有することを特徴とする椅子。
【発明の詳細な説明】
【０００１】
【発明の属する技術分野】
本発明は椅子の肘掛けに関する。更に詳述すると、本発明は、背凭れから離された端部を肘当て面に有するＬ型あるいはＴ型などの肘掛けの形状改良に関する。
【０００２】
【従来の技術】
従来のＬ型あるいはＴ型の肘掛けは、その機能や外観、軽量化などの観点から、一般に図５及び図６に示すように肘当て面１０７がフラットで内側の縁１０８がストレートな平面形状に形成されていることが多い。即ち、肘当て面１０７の座面１０６側寄りの内側の縁１０８は背凭れ１０９付近まで肘当て面１０７が延びるようにほぼストレートで、座面１０６から離れる外側の縁１１０は肘がかけられることが少ない後端側に向かうに従って内側に向けて湾曲し幅狭く形成されて外側への出っ張りを少なくしている。また、図示していないが肘当て面１０７の外側の縁１１０もストレートにデザインされる場合もあるが、いずれにしても背凭れ１０９に最も接近した内側寄りの部位が最後端１０３となっている。
【０００３】
また、このような肘掛け１０２においては、回転中心（座中心）の座面から肘当て面１０７の最高位置までの高さが２００〜２５０ｍｍとすることがＪＩＳ規格で推奨されていることから、肘当て面１０７の最後端の下面までの高さは１６０ｍｍ〜１７０ｍｍあるいはそれ以上であることが一般的である。
【０００４】
【発明が解決しようとする課題】
しかしながらこのような形態を採る従来の肘掛け１０２では、立ち上がる際にスーツ１０４のポケット１０５が引っかかって椅子を持ち上げたりポケットや周りの生地を破いてしまうことがある。
【０００５】
そこで本発明は、立ち上がるときに上着のポケットなどの衣服の一部が引っ掛かることのない椅子の肘掛けを提供することを目的とする。
【０００６】
【課題を解決するための手段】
かかる目的を達成するため、ポケットへの肘掛けの引っかかりについて本発明者等が種々実験及び研究した結果、スーツなどの上着のポケットの位置が座面から約１５０ｍｍの所に口が設けられていることから、深々と着座したときなどにポケット１０５がちょうど肘掛けの最後端１０３付近の真下に位置してしまって、立ち上がる際に空いているポケットの口が肘掛けの最後端に引っかかってしまうことがその一因となっていることを知見するに至った。
【０００７】
請求項１記載の発明は、かかる知見に基づいて為されたもので、背凭れから離された端部を肘当て面に有するＬ型あるいはＴ型の椅子に固定される肘掛けにおいて、肘当て面の最後端が当該肘掛けの肘当て面の中心付近あるいは肘当て面の中心よりも外側寄りの位置に形成され、かつ最後端が背凭れが傾動したときにも背凭れの前面よりも後方に位置する長さに形成されるようにしている。
【０００８】
したがって、ポケットなどが引っかかる最後端が肘掛けの肘当て面の中心付近あるいはそれよりも外側寄りの位置で座及び背凭れから離れて存在するため、肘掛けの後端部の下面よりも下に衣服の引っかかり易い部分例えばポケットが存在しても、着座者が立ち上がるときに引っかかることがない。
【０００９】
また、請求項３記載の発明は、背凭れから離された端部を肘当て面に有するＬ型あるいはＴ型の椅子に固定される肘掛けにおいて、上から見て漸次幅狭となるように内側の縁と外側の縁の両側縁がそれぞれ滑らかな曲面に形成されると共に肘当て面の最後端付近の内側の縁部分に背凭れ側へ向けて緩やかな曲面を以て突出する突出部を備え、かつ後端部が肘当て面の中心の付近あるいは肘当て面の中心よりも外側の縁寄りの位置に配置されるようにしている。
また、請求項２記載の発明は、請求項１記載の椅子の肘掛けにおいて、肘当て面の最後端付近の内側の縁部分に背凭れ側へ向けて緩やかな曲面を以て突出する突出部を備え、かつ該突出部から最後端にかけて座面からの高さが漸次低くなる斜面に形成されようにしている。この場合、着座者が立ち上がる際にポケットなどの衣服の一部が肘当て面の後端部の内側に触れても、最後端から離れた突出部に沿って滑るため、衣服のポケットなどが肘掛けに引っ掛かることがない。
【００１０】
また、請求項４記載の発明は、請求項３記載の椅子の肘掛けにおいて、突出部から最後端にかけて座面からの高さが漸次低くなる斜面に形成するようにしている。この場合、着座者が立ち上がる際にポケットなどの衣服の一部が後端部の内側の最後端寄りの部分に触れても、斜面に沿って最後端から離れる方向に滑って行くため衣服のポケットなどが引っ掛かることがない。
【００１１】
また、請求項５記載の発明は、請求項３に記載の椅子の肘掛けにおいて、最後端が背凭れが傾動したときにも背凭れの前面よりも後方に位置する長さとするようにしている。この場合、背凭れと肘掛け後端部との間のスペースが常に狭く広がることがないので、着座者の衣服が背凭れと肘掛け後端部との間をすり抜けて後端付近特に最後端にまで達することがない。
【００１２】
更に、請求項６記載の発明は、請求項１から５のいずれかに記載の椅子の肘掛けにおいて、肘当て面が前後方向に緩やかに湾曲する曲面に形成され、かつ最後端が当該肘当て面の高さの中で最も低く、座面から最後端の下面までの高さが１５０ｍｍ以下であるようにしている。この場合、最後端にポケットなどが引っかかり難い配置、形状などである上に、肘掛けの最後端の高さが多くの衣服のポケットの口の高さよりも下かあるいは上となっても僅かであるために立ち上がる際にポケットが引っかかることがない。
【００１４】
また、請求項７記載の発明の椅子は、請求項１から６のいずれかに記載の肘掛けを有するようにしている。この場合、肘掛けの最後端が着座者の衣服のポケットから離れて配置されることとなり、立ち上がり時に引っ掛からないようになる。
【００１５】
【発明の実施の形態】
以下、本発明の構成を図面に示す実施の形態の一例に基づいて詳細に説明する。
【００１６】
図１〜図４に、本発明の椅子の肘掛けの一実施形態を示す。この椅子１の肘掛け２は、先端側に支柱部２２を有し、後方に向けて肘当て面２３が延びる通称Ｌ型肘掛けと呼ばれるもので、背凭れ３の側方に後端部が配置されるように座部４の座裏カバーなどに取付部２１がビス止めされている。尚、本実施形態の椅子１は、背凭れ３と同期して座部４も傾動するシンクロロッキングタイプの椅子であるが、これに特に限られるものではなく、背凭れ３の傾動とは無関係に座部が固定されているような椅子でも適用可能である。
【００１７】
肘掛け２は、図１〜図３に示すように、座部４の中心線上あるいはその近くに固定される取付部２１と、この取付部２１から椅子の前方へ向けて傾斜する支柱部２２と、この支柱部２２から後方の背凭れ側に向けて延びる肘当て面２３とを有している。
【００１８】
本実施形態の肘当て面２３は、特に限定されるものではないが図１〜図３に示すように、幅方向に関してはほぼ平坦に形成されていて、前後方向には緩やかに湾曲する曲面に形成されている。そして、前後方向の曲面は、前端から後方へ向かうに従って徐々に高くなりながら肘当て面２３のほぼ中央付近で最も高くなり、それから後端側へ向かうに従って漸次低くなるように形成されている。更に、肘当て面２３の最後端２５が肘当て面２３の中心Ｃ付近あるいはそれよりも外側の縁２７寄りの位置に形成されている。したがって、最後端２５の高さ、換言すれば座面から最後端２５の下面までの高さが肘当て面２３での高さの中で最も低く形成されている。本実施形態の場合、座面４ａからの最後端２５の下面までの高さは、好ましくは２００ｍｍ以下、より好ましくは１５０ｍｍ以下に形成されている。
【００１９】
ここで、肘掛け２の中心Ｃとは、肘掛け２が真っすぐに形成されていれば直線状になることは勿論であるが、やや内側に曲がっているときにはその形状に沿って肘掛け２の中心を通る線ということになる。したがって、この場合の最後端２５は、図１および図３に示すように肘掛け２の中心Ｃ付近に位置していることとなる。
【００２０】
また、肘掛け２の後端部は、ポケットなどの引っかかりの機会をできるだけ少なくするために全体的に丸みを帯びるように形成することが好ましい。例えば側面から見て後端部は図２に示すように滑らかに突出した半円に近い形状となっているし、上方からみた場合にも図３に示すように漸次幅狭となるように内側の縁２６および外側の縁２７の両側縁がそれぞれ滑らかな曲面に形成されている。そして、肘当て面２３の後端部付近の内側２６部分には、内側（背凭れ３側）へ向けて緩やかな曲面を以て突出する突出部２４を形成することが好ましい。更にはこの突出部２４から最後端２５にかけては、座面からの高さが漸次低くなる斜面２４ａに形成することが好ましい。
【００２１】
更に好ましくは、以上のように構成された肘掛け２は、図４に示すように、座部４に取り付けられたときに、その最後端２５が傾動の前後の双方において背凭れ３の前面３ａより後側へ達するように取り付けられている。即ち、肘当て面２３の最後端２５の位置が、背凭れ３の傾きに拘わらず常に背凭れ３の前面３ａよりも後方に位置するような位置関係で配置されている。
【００２２】
なお、肘掛け２の取付部２１側は、図示するように椅子１の座部４の裏側に取付可能とするための構成がとられている。すなわち、取付部２１は図１に示すように座部４の裏側に合った角度に形成され、さらにそこには図２や図３に示すような矩形の孔２１ａおよびその周囲の３箇所のボルト孔２１ｂが設けられていて、ボルトにより座部４へ取付けることができるようになっている。
【００２３】
以上のように形成された椅子１の肘掛け２によれば、着座者の衣服のポケットなどが肘掛け２に引っかかる虞が少ない。即ち、ポケット１０５などが引っかかる最後端２５が肘掛け２の肘当て面２３の中心Ｃ付近あるいはそれよりも外側の縁２７寄りの位置で座部４及び背凭れ３から離れて存在するため、肘掛け２の後端部の下面よりも下に衣服の引っかかり易い部分例えばポケット１０５が存在しても、着座者が立ち上がるときに引っかかることがない。しかも、最後端２５付近の内側寄りの部位に内側へ向けて緩やかに突出する突出部２４が設けられ、該突出部２４から最後端２５にかけて座面４ａからの高さが漸次低くなる斜面２４ａが設けられていることから、ポケット１０５などが後端部の内側に触れる位置にあっても、斜面２４ａに沿って最後端２５から離れる方向に滑るように案内されるため、着座者が立ち上がる際に衣服のポケット１０５などが引っ掛かることがない。また、肘当て面２３の最後端２５が背凭れ３が傾動したときにも背凭れ３の前面３ａよりも後方に位置する長さ及び配置とされているので、背凭れ３と肘掛け後端部２５との間のスペースが常に狭く広がることがないので、着座者の衣服が背凭れ３と肘掛け最後端２５との間をすり抜けて後端付近特に最後端２５にまで達することがない。しかも、ポケット１０５が最後端２５に近づくことがないし、仮に何かの調子に近づいたとしても突出部２４から最後端２５の下面までが緩やかな斜面に形成されているので、衣服のポケットの口が斜面に沿って突出部２４側へ案内され最後端２５に引っかかることがない。特に、座面４ａから最後端２５の下面までの高さが２００ｍｍ以下、より好ましくは１５０ｍｍ以下に形成されるようにしている。この場合、最後端２５にポケット１０５などが引っかかり難い配置、形状などである上に、最後端２５の高さよりも下に衣服のポケット１０５の口が位置することがなく、あるいは肘掛けの最後端の高さが多くの衣服のポケット１０５の口の高さよりも下かあるいは上となっても僅かであるために立ち上がる際にポケット１０５が引っかかることがない。
【００２４】
このように、本発明の椅子１の肘掛け２では美感や質感、肘を乗せる機能などを従来どおり具備しながら、立ち上がる際にポケットなど衣服の一部が引っ掛かるおそれがなくなっているため、立ち上げり動作時に不具合が生じるおそれがない。
【００２５】
なお、上述の実施形態は本発明の好適な実施の一例ではあるがこれに限定されるものではなく本発明の要旨を逸脱しない範囲において種々変形実施可能である。例えば、最後端２５の位置や後端部の形状などを従来のままとして、座面４ａから最後端２５の下面までの高さを１５０ｍｍ以下とするだけでも、着座時の衣服のポケット１０５よりも低く配置されることとなりポケット１０５の引っかかりを少なくすることができる。
【００２６】
また、本実施形態ではＬ型肘掛けについて適用した場合について主に説明したがこれに特に限定されるものではなく、Ｔ型肘掛けやその他の背凭れや座から離された端部を肘当て面に有する肘掛けに対しても適用可能であることはいうまでもない。
【００２７】
【発明の効果】
以上の説明より明らかなように、請求項１記載の椅子の肘掛けによれば、ポケットなどが引っかかる最後端が肘掛けの肘当て面の中心付近あるいはそれよりも外側寄りの位置で座及び背凭れから離れて存在するため、肘掛けの後端部の下面よりも下に衣服の引っかかり易い部分例えばポケットが存在しても、着座者が立ち上がるときに引っかかることがない。しかも、最後端が背凭れが傾動したときにも背凭れの前面よりも後方に位置するので、背凭れと肘掛け後端部との間のスペースが常に狭く、背もたれの傾動にかかわらず広がることがない。このため、着座者の衣服が背凭れと肘掛け後端部との間をすり抜けて最後端にまで達することにより、肘掛けにポケットの引っかかるのを防止することができる。
【００２８】
また、請求項２記載の発明によると、着座者が立ち上がる際にポケットなどの衣服の一部が肘当て面の後端部の内側に触れたとしても、最後端から離れたところに存在する突出部から最後端にかけて存在する斜面に沿って最後端から離れる方向にポケットの縁が滑るため、衣服のポケットなどが肘掛けの最後端に引っ掛かることがない。
【００２９】
また、請求項３記載の発明に肘掛けよると、肘掛けの肘当て面の形状を、上から見て漸次幅狭となるように内側の縁と外側の縁の両側縁がそれぞれ滑らかな曲面に形成することにより、肘掛けの形状が全体的に丸みを帯びるので、ポケットなどの引っかかりの機会をできるだけ少なくすることができる。また、ポケットなどが引っかかる最後端が肘掛けの肘当て面の中心付近あるいは肘当て面の中心よりも外側寄りの位置で座及び背凭れから離れて存在するため、肘掛けの後端部の下面よりも下に衣服の引っかかり易い部分例えばポケットが存在しても、着座者が立ち上がるときに引っかかることがない。しかも、突出部を設けるようにしているので、着座者が立ち上がる際にポケットなどの衣服の一部が肘当て面の後端部の内側に触れても、最後端から離れた突出部に沿って滑るため、衣服のポケットなどが肘掛けに引っ掛かることがない。
また、請求項４記載の発明によると、着座者が立ち上がる際にポケットなどの衣服の一部が後端部の内側の最後端寄りの部分に触れても、斜面に沿って最後端から離れる方向に滑って行くため衣服のポケットなどが引っ掛かることがない。
【００３０】
また、請求項５記載の発明によると、背凭れと肘掛け後端部との間のスペースが常に狭く広がることがないので、着座者の衣服が背凭れと肘掛け後端部との間をすり抜けて後端付近特に最後端にまで達することがない。
【００３１】
更に、請求項６記載の発明によると、最後端にポケットなどが引っかかり難い配置、形状などである上に、肘掛けの最後端が着座者の衣服のポケットよりも低く配置されることとなるために立ち上がる際にポケットが引っかかることがない。
【００３３】
更に請求項７記載の発明によると、肘掛けの最後端が着座者の衣服のポケットから離れて配置されることとなり、立ち上がり時に引っ掛からないようになる。
【図面の簡単な説明】
【図１】本発明の椅子の肘掛けの一実施形態を示す図であり、椅子の左側半分を背凭れ側から見た背面図である。
【図２】図１の肘掛けの側面図である。
【図３】図１の肘掛けの平面図である。
【図４】図１の肘掛けを取り付けた椅子の側面図である。
【図５】従来の肘掛けの平面図である。
【図６】従来の肘掛けを備えた椅子の側面図である。
【符号の説明】
１  椅子
２  肘掛け
３  背凭れ
３ａ  背凭れの前面
４  座部
４ａ  座面
２３  肘掛けの肘当て面
２４  突出部
２４ａ  突出部の斜面
２５  肘当て面の最後端
２６  肘掛けの内側部分
２７  肘掛けの外側部分
Ｃ  肘当て面の中心
【図１】
0004212166.tif 000002
【図２】
0004212166.tif 000003
【図３】
0004212166.tif 000004
【図４】
0004212166.tif 000005
【図５】
0004212166.tif 000006
【図６】
0004212166.tif 000007